(57)【特許請求の範囲】
【請求項１】
種類の異なる内容物をそれぞれ充填したエアゾール容器の各ステムと通じる内部空間を有し、当該内部空間から排出された内容物を混合物として単一のノズルを通して外界に排出する押圧ヘッドと、エアゾール容器の少なくとも肩部を押圧ヘッドと共に取り囲んで前記エアゾール容器を一括りにして固定保持するベースカバーと、ヒンジを支点とする回動操作により押圧ヘッドを押し込んでエアゾール容器の各ステムより内容物を排出する操作レバーとを備えた混合注出器であって、
押圧ヘッドに、片持ち支持にて起立してその自由端を前記操作レバーの下面に接触させることで、当該操作レバーの押し下げに際して、その押し下げに抗する復元力を与える板ばね部を設けると共に、
ベースカバー及び板ばね部の少なくともいずれか一方に、操作レバーの押し下げの際に、操作レバーが引っ掛かって当該操作レバーの押し下げを規制し、更なる操作レバーの押し下げによって、前記引っ掛かりが解除される係止手段を設け、
さらに、押圧ヘッドは、エアゾール容器の各ステムに嵌合し内容物の排出経路を形成する複数の筒体を有する基体と、当該基体にヒンジを介して開閉可能に繋がり前記基体に被さってその内側に前記内部空間を区画形成するカバー体とを備え、
当該カバー体は、前記筒体の各排出経路の出口側端から均等な距離を隔てて一体に設けられた単一のノズルを有し、また、
前記基体の幅方向には、ノズルを挟み込むように、間隔を空けてヒンジを介して前記板ばね部が一体に連結されていることを特徴とする混合注出器。
【請求項２】
請求項１において、前記係止手段は、操作レバーの外側面に設けられた突起と、ベースカバーに凹部を形作る凹部側壁に設けられた突起とからなることを特徴とする混合注出器。
【請求項３】
請求項２において、ベースカバーの凹部側壁に、当該凹部側壁に設けられた突起の周辺での変形及び復元を許容するための開口部を設けたことを特徴とする混合注出器。
【請求項４】
請求項１において、前記係止手段は、操作レバーの下端面に設けられた突起と、板ばね部の上端面に設けられた突起とからなることを特徴とする混合注出器。
【請求項５】
請求項１乃至４のいずれか１項において、操作レバーは、ベースカバーの側壁部内側に嵌合して固定され当該側壁部をガイドにして押圧ヘッドの押し込みによる移動を誘導するガイド壁部と、当該ガイド壁部にヒンジを介して回動可能に繋がる操作片とを有し、当該操作片の下端面を押圧ヘッドの上端部位に当接させて当該押圧ヘッドを直接押圧するものであることを特徴とする混合注出器。
【発明の詳細な説明】
【技術分野】
【０００１】
本発明は、使用直前に複数種の内容物を混合して注出するのに用いて好適な混合注出器に関するものであり、各容器から内容物を均等に排出して所望の割合で混合された混合物を得ようとするものである。
【背景技術】
【０００２】
種類の異なる内容物を使用直前に混合して注出する混合注出器は、毛染め剤等の薬剤のみならず、医療分野やお茶等の飲料分野へも適用される傾向にあり、その需要は今後益々増大していくと見込まれており、この点に関する先行技術としては、各容器のステムに連通管を嵌合させ、当該連通管を通して供給された内容物を混合物として単一のノズルを通して排出するようにした押下げヘッドを備えたものが知られている（例えば、特許文献１参照）。
【先行技術文献】
【特許文献】
【０００３】
【特許文献１】特開平１１−３３４７６７号公報
【発明の概要】
【発明が解決しようとする課題】
【０００４】
ところで、従来のこの種の混合注出器は、１つのレバーを用いて押下げヘッドを押し込むことにより、複数の容器から一度に内容物を注出するようにしているが、押下げヘッドの押し込みに際して、特にレバー操作が緩慢な場合（ゆっくりとした操作の場合）に、各容器のステムを同時に押し込むことができないこともあって、内容物の均等な混合が困難となる不具合があり、この点に関しては未だ改良の余地が残されていた。
【課題を解決するための手段】
【０００５】
本発明は、種類の異なる内容物をそれぞれ充填したエアゾール容器の各ステムと通じる内部空間を有し、当該内部空間から排出された内容物を混合物として単一のノズルを通して外界に排出する押圧ヘッドと、エアゾール容器の少なくとも肩部を押圧ヘッドと共に取り囲んで前記エアゾール容器を一括りにして固定保持するベースカバーと、ヒンジを起点とする回動操作により押圧ヘッドを押し込んでエアゾール容器の各ステムより内容物を排出する操作レバーとを備えた混合注出器であって、
押圧ヘッドに、片持ち支持にて起立してその自由端を前記操作レバーの下面に接触させることで、当該操作レバーの押し下げに際して、その押し下げに抗する復元力を与える板ばね部を設けると共に、
ベースカバー及び板ばね部の少なくともいずれか一方に、操作レバーの押し下げの際に、操作レバーが引っ掛かって当該操作レバーの押し下げを規制し、更なる操作レバーの押し下げによって、前記引っ掛かりが解除される係止手段を設け、
さらに、押圧ヘッドは、エアゾール容器の各ステムに嵌合し内容物の排出経路を形成する複数の筒体を有する基体と、当該基体にヒンジを介して開閉可能に繋がり前記基体に被さってその内側に前記内部空間を区画形成するカバー体とを備え、
当該カバー体は、前記筒体の各排出経路の出口側端から均等な距離を隔てて一体に設けられた単一のノズルを有し、また、
前記基体の幅方向には、ノズルを挟み込むように、間隔を空けてヒンジを介して前記板ばね部が一体に連結されていることを特徴とするものである。
【０００６】
本発明に従えば、係止手段は、ベースカバー及び板ばね部の少なくともいずれか一方に設けることができ、また、引っ掛かりを生起させる部位の形状としては、突起や隆起又は厚肉部、或いは、これら部位又は板状の先端部に入り込む凹部等が挙げられるが、例えば、操作レバーの外側面に設けた突起と、ベースカバーに凹部を形作る凹部側壁に設けた突起とからなるものとすることができる。この場合、ベースカバーの凹部側壁に、当該凹部側壁に設けられた突起の周辺での変形及び復元を許容するための薄肉部を設けることができる。
【０００７】
また、係止手段としては、操作レバーの下端面に設けた突起と、板ばね部の上端面に設けた突起とからなるものとすることができる。
【０００９】
また、操作レバーは、ベースカバーの側壁部内側に嵌合して固定され当該側壁部をガイドにして押圧ヘッドの押し込みによる移動を誘導するガイド壁部と、当該ガイド壁部にヒンジを介して回動可能に繋がる操作片とを有し、当該操作片の下端面を押圧ヘッドの上端部位に当接させて当該押圧ヘッドを直接押圧するものとすることができる。
【発明の効果】
【００１０】
本発明によれば、操作レバーを板ばね部の復元力に抗して押し下げると、操作レバーがベースカバー又は板ばね部に引っ掛かるため、操作レバーの押し下げは一旦停止するが、更に操作レバーを押し下げれば、操作レバーの引っ掛かりが解除されることで、操作レバーは急激に下方に移動することとなる。
【００１１】
これにより、使用者が意識せずとも、操作レバーが迅速に回動することで、エアゾール容器の各ステムが同時に押し込まれる結果、各エアゾール容器から内容物が均等に排出される。従って、本発明によれば、内容物の均等な混合物を排出することができる。
【００１２】
特に、係止手段を、操作レバーの外側面に設けた突起と、ベースカバーの凹部側壁に設けた突起とすれば、ベースカバーに設けた突起の高さ等を適宜選択することで、操作レバーを急激に押し下げるタイミングに自由度を持たせつつ、各エアゾール容器からの均等な排出が実現できる。また、この場合、ベースカバーの凹部側壁に、当該凹部側壁に設けられた突起の周辺での変形及び復元を許容するための開口部を設ければ、操作レバーに設けた突起の乗り越えが比較的スムーズになるため、操作レバーの押し下げが急激になりすぎることなく、各エアゾール容器からの均等な排出が実現できる。
【００１３】
また、係止手段を、操作レバーの下端面に設けた突起と、板ばね部の上端面に設けた突起とすれば、操作レバーが急激に押し下がるタイミングとほぼ同時に、各エアゾール容器からの均等な排出が実現できる。
【００１４】
押圧ヘッドを、エアゾール容器の各ステムに嵌合し内容物の排出経路を形成する複数の筒体を有する基体と、当該基体にヒンジを介して開閉可能に繋がり前記基体に被さってその内側に前記内部空間を区画形成するカバー体とを備えるものとし、当該カバー体に、前記筒体の各排出経路の出口側端から均等な距離を隔てて単一のノズルを一体に設ける一方、前記基体の幅方向には、ノズルを挟み込むように、間隔を空けてヒンジを介して前記板ばね部を一体に連結すれば、当該板ばね部と共に押圧ヘッドを一部材として構成することが可能であり、部品点数の削減と効率的な組立を可能にしつつ、各エアゾール容器からの均等な排出が実現できる。
【００１５】
また、操作レバーを、ベースカバーの側壁部内側に嵌合して固定され当該側壁部をガイドにして押圧ヘッドの押し込みによる移動を誘導するガイド壁部と、当該ガイド壁部にヒンジを介して回動可能に繋がる操作片とを有し、当該操作片の下面を押圧ヘッドの上端部位に当接させて当該押圧ヘッドを直接押圧するものとすれば、操作レバーを一部材として構成することが可能であり、部品点数の削減と効率的な組立を可能にしつつ、各エアゾール容器からの均等な排出が実現できる。
【図面の簡単な説明】
【００１６】
【図１】本発明の第１の形態である、二剤混合用注出器に容器を装着した状態で前面側から示した外観斜視図である。
【図２】同形態の分解状態を容器と共に示した斜視図である。
【図３】同形態を上方から示した平面図である。
【図４】同形態に係る、押圧ヘッドの分解状態を示した斜視図である。
【図５】同形態を容器と共に一部断面で示した要部正面図である。
【図６】同形態の初期状態を容器と共に断面で示した要部正面図である。
【図７】同形態に係る、係止手段の一例を模式的に示した要部斜視図である。
【図８】同形態の係止状態を容器と共に断面で示した要部正面図である。
【図９】同形態の押し切り状態を容器と共に断面で示した要部正面図である。
【図１０】本発明の第２の形態である、二剤混合用注出器の初期状態を容器と共に断面で示した要部正面図である。
【図１１】同形態の係止状態を容器と共に断面で示した要部正面図である。
【図１２】同形態の押し切り状態を容器と共に断面で示した要部正面図である。
【発明を実施するための形態】
【００１７】
以下、図面を参照して、本発明の様々な形態を説明する。
【００１８】
図１〜９は、本発明の第１の形態である、二剤混合用注出器をエアゾール容器に装着したものである。
【００１９】
図１〜９における、符号１，２は、種類の異なる内容物を充填したエアゾール容器である。エアゾール容器１，２はそれぞれ、ステム１ａ，２ａを有し、これらをそれぞれ押圧することによって、当該ステム１ａ，２ａを通してエアゾール容器１，２内の内容物を排出することができる。
【００２０】
また、符号３は、エアゾール容器１，２の各ステム１ａ，２ａに繋がる押圧ヘッドである。押圧ヘッド３は、その分解状態を図４に示したように、底壁を形成する基体３ａと、この基体３ａにヒンジ３ｃ（図６等参照）を介して開閉可能に繋がり上記基体３ａの上部に被さって、その内側に内容物を混合するための内部空間Ｍを区画形成するカバー体３ｂとを備え、当該カバー体３ｂには、単一のノズル３ｄが一体に設けられている。
【００２１】
基体３ａは、底板３ａ1と、この底板３ａ1の縁部から垂下する周壁３ａ2と、この周壁３ａ2の下端から横方向へ突出したフランジ３ａ3とを有し、底壁３ａ1の下端には、エアゾール容器１，２の各ステム１ａ，２ａに嵌合して内容物の排出経路ｒ1，ｒ2を形成する筒体３ａ4，３ａ5を備える。
【００２２】
また、基体３ａには、図２等に示すように、フランジ３ａ3の幅方向に、ノズル３ｄを挟むように、間隔を空けて２つの板ばね部３ｓが設けられている。板ばね部３ｓはそれぞれ、その変形及び復元の基点となる湾曲部分３ｓ1から支持部分３ｓ2が延在し、この支持部分３ｓ2がヒンジ３ｈを介してフランジ３ａ3に連結されている。これにより、板ばね部３ｓは、ヒンジ３ｈを支点にした回動により、基体３ａに被せたカバー体３ｂに合わせることで、このカバー体３ｂから、図２に示すように片持ち支持にて起立する。
【００２３】
これに対し、カバー体３ｂは、基体３ａの周壁３ａ2に嵌合し、その下端がフランジ３ａ3に当接する周壁３ｂ1と、この周壁３ｂ1の上端に一体連結する天面壁３ｂ2とからなり、周壁３ｂ1には、上述のとおり、ノズル３ｄが一体的に形成されている。ノズル３は、筒体３ａ4，３ａ5の各排出経路ｒ1，ｒ2の出口側端から均等な距離を隔てて一体に設けられている。
【００２４】
また、カバー体３ｂは、天面壁３ｂ2の幅方向に、ノズル３を挟むように、板ばね部３ｓが配置される凹部ｔが間隔を空けて２箇所に設けられている。これにより、板ばね部３ｓがそれぞれ、後述の操作片５ｂにより押し下げられると、凹部ｔ内に収納される。
【００２５】
符号４は、エアゾール容器１，２の少なくとも肩部を押圧ヘッド３と共に取り囲んでエアゾール容器１，２を一括りにして固定保持するベースカバーである。ベースカバー４は、平面形状が楕円形状をなしており、エアゾール容器１，２のマウンティングカップ１ｃ，２ｃにそれぞれ連係する爪部ｎを有し、各ステム１ａ，２ａを露出させる開口を有するホルダー４ａと、このホルダー４ａを内側に収めて当該ホルダー４ａの爪部４ａ1を開口に入れ込んで係止し、固定する外カバー４ｂからなる（図２、５、６参照）。
【００２６】
外カバー４ｂは、前側凹部Ｐ1と後側凹部Ｐ2とを有する周壁４ｂ1と、この周壁４ｂ1の上端に一体連結する天面板４ｂ2と、この天面板４ｂ2の内側端から垂下する内側壁４ｂ3と、この内側壁４ｂ3の下端に一体連結し、エアゾール容器１，２のステム１ａ，２ａを露出させる開口を有する底壁４ｂ4から構成されていて、その内側において押圧ヘッド３を配置し、収納する凹部を形成するようになっている。
【００２７】
なお、外カバー４ｂは、図１等に示すように、その両サイドに設けた連係解除用の押圧片Ｊの押圧操作によって、ホルダー４ａにおける爪部４ａ1との連係を解除して取り外すことができるようになっており、これにより、外カバー４ｂの洗浄が可能になっている。
【００２８】
符号５は、ヒンジｈ1を支点とする回動操作にて押圧ヘッド３を押し込んでエアゾール容器１，２の各ステム１ａ，２ａより内容物を排出する操作レバーである。この操作レバー５は、ベースカバー４の外カバー４ｂの内側壁４ｂ3に嵌合して固定される楕円形をなすガイド壁部５ａと、このガイド壁部５ａにヒンジｈ1を介して回動可能に繋がるＴ字状の操作片５ｂで構成されている。操作片５ｂは、押圧ヘッド３の上端部位に直接当接（エアゾール容器１，２のステム１ａ，２ａの径方向中心に合致する部位で当接している）していて、各ステム１ａ，２ａに押圧ヘッド３を介して同等の押し込み力を付与することができるようになっている（図６等参照）。
【００２９】
これに対し、押圧ヘッド３に片持ち支持された板ばね部３ｓは、図６等に示すように、操作片５ｂの下端面５ｆに向かって斜めに起立することで、その自由端側に設けた突出部３ｐを押圧片として操作片５ｂの下端面５ｆに接触させている。これにより、板ばね部３ｓは、操作片５ｂの押し下げに際して、その押し下げに抗する復元力を当該操作片５ｂに与えることで、押し下げを解除すれば、操作片５ｂは、図６に示す初期位置に自動的に復帰する。
【００３０】
なお、操作レバー５のガイド側壁５ａの内側面には、押圧ヘッド３を構成するカバー体３ｂの周壁３ｂ1の少なくとも両側端部がそれぞれ摺動可能に当接しており（図５参照）、押圧ヘッド３の押し込みの際に、ガイド壁部５ａの内側面をガイドにしてスムーズな移動ができるようになっている。特に、本形態では、押圧ヘッド３の周壁３ｂ1の外表面の両側には、図２等に示すように凸部ｄを設け、ガイド壁部５ａの内側面に、凸部ｄがスライド可能に嵌り込む溝部設けてガイドしている。
【００３１】
符号６は、押圧ヘッド３の上端部位（エアゾール容器１，２のステム１ａ，２ａの径方向中心に合致する部位）に設けられた凸部、符号７は、操作レバー５の操作片５ｂの下端面５ｆに設けられ、押圧ヘッド３を押し込む際に凸部６に当接する凸部である（図２、５、６等参照）。
【００３２】
更に、符号８は、ノズル３ｃの排出経路内に配置され、排出にかかる内容物の混合を促進するミキシング部材である。ミキシング部材８は、ノズル３ｃの先端開口に嵌合して固定される部材本体８ａと、この部材本体８ａに一体的に繋がる複数枚のフィン８ｂで構成されている。なお、本形態では、押圧ヘッド３の内部空間Ｍには、内容物の均一な混合を促進するために、図５に示すように、リブ状の仕切壁３ｂ3を設けている。
【００３３】
ところで、本形態に係る操作レバー５には、操作片５ｂの外側面５ｓにそれぞれ、係止手段Ｃ1の一方を構成する突起５ｐが設けられている。また、本形態に係るベースカバー４には、上述したとおり、操作片５ｂをベースカバー４に干渉させないために、外カバー４ｂの周壁４ｂ1に後側凹部Ｐ2を形成しているが、この後側凹部Ｐ2を形作る凹部側壁４ｂ5には、係止手段Ｃ1の他方の構成として、操作片５ｂに設けた突起５ｐと接触して、当該操作片５ｂを引っ掛けることで、その押し下げを規制する突起４ｐが設けられている。
【００３４】
係止手段Ｃ1では、操作片の突起５ｐが、更なる操作片５ｂの押し下げによって、他方の突起４ｐを乗り越えることで、引っ掛かりが解除できるように設定してある。例えば、本形態では、ベースカバー４の凹部側壁４ｂ5に、この凹部側壁４ｂ5に設けられた突起４ｐの周辺での変形及び復元を許容するため、Ｕ字状に形作られた開口部４ｓが突起４ｐを取り囲むように設けられている。これにより、操作片５ｂの突起５ｐは、凹部側壁４ｂ5に片持ち支持された状態となるので、突起５ｐが、操作片５ｂの更なる押し込みによって、ベースカバー４の突起４ｐを乗り越えられるため、使用者は操作片５ｂを急激に押し下げることなる。
【００３５】
これにより、操作片５ｂを図６に示す初期位置からゆっくり押しても、図８に示すように、係止手段Ｃ1によって一旦引っ掛かるため、更に使用者が押し下げることで、その引っ掛かりを解除すると、操作片５ｂは、図９に示す押し切り位置まで、勢い良く一気に押し下げられる。従って、使用者が操作片５ｂをゆっくり押しても、係止手段Ｃ1を解除すべく、更に操作片５ｂを押し込む結果、押圧ヘッド３に設けた凸部６が実際に操作片の凸部７に押されてから、その押し下げを完了するまでの所要時間は短時間ですむ。
【００３６】
なお、操作片５ｂの突起５ｐが突起４ｐを乗り越えるための設定は、例えば、混合注出器の用途や使用対象者等に応じて、突起４ｐ及び突起５ｐの形状等を適宜変更することでも可能である。
【００３７】
本形態によれば、上述のとおり、操作片５ｂを板ばね部３ｓの復元力に抗して押し下げると、操作片５ｂに設けた突起５ｐがベースカバー４に設けた突起４ｐと接触することで引っ掛かるため、操作片５ｐの押し下げは一旦停止するが、更に操作片５ｂを押し下げれば、操作片５ｂの突起５ｐが突起４ｐを乗り越えることで、操作片５ｂの引っ掛かりが解除されることから、操作片５ｂは急激に下方に移動することとなる。
【００３８】
これにより、使用者が意識せずとも、操作片５ｂが迅速に回動することで、エアゾール容器１，２の各ステム１ａ，２ａが同時に押し込まれる結果、各エアゾール容器１，２から内容物が均等に排出される。従って、本形態によれば、内容物の均等な混合物を排出することができる。
【００３９】
特に、本形態の如く、係止手段Ｃ1を、操作片５ｂの外側面５ｆに設けた突起５ｐと、ベースカバー４の凹部側壁４ｂ5に設けた突起４ｐとすれば、ベースカバー４に設けた突起４ｐの高さ等を適宜選択することで、操作片５ｂを急激に押し下げるタイミングに自由度を持たせつつ、各エアゾール容器１，２からの均等な排出が実現できる。
【００４０】
また、この場合、本形態の如く、ベースカバー４の凹部側壁４ｂ5に、この凹部側壁４ｂ5に設けられた突起４ｐの周辺での変形及び復元を許容するための開口部４ｓを設ければ、操作片５ｂに設けた突起５ｐの乗り越えが比較的スムーズになるため、操作片５ｂの押し下げが急激になりすぎることなく、各エアゾール容器１，２からの均等な排出が実現できる。
【００４１】
加えて、本形態の如く、押圧ヘッド３を、エアゾール容器１，２の各ステム１ａ，２ａに嵌合し内容物の排出経路ｒ1，ｒ2を形成する複数の筒体３a4，３ａ5を有する基体３ａと、この基体３ａにヒンジ３ｈを介して開閉可能に繋がり基体３ａに被さってその内側に内部空間Ｍを区画形成するカバー体３ｂとを備えるものとし、このカバー体３ｂに、筒体３a4，３ａ5の各排出経路ｒ1，ｒ2の出口側端から均等な距離を隔てて単一のノズル３ｄを一体に設ける一方、基体３ａの幅方向には、ノズル３ｄを挟み込むように、間隔を空けてヒンジ３ｈを介して板ばね部３ｓを一体に連結すれば、この板ばね部３ｓと共に押圧ヘッド３を一部材として構成することが可能であり、部品点数の削減と効率的な組立を可能にしつつ、各エアゾール容器１，２からの均等な排出が実現できる。
【００４２】
また、本形態の如く、操作レバー５を、ベースカバー４の側壁部４ｂ3の内側に嵌合して固定され当該側壁部４ｂ3をガイドにして押圧ヘッド３の押し込みによる移動を誘導するガイド壁部５ａと、このガイド壁部５ａにヒンジｈ1を介して回動可能に繋がる操作片５とを有し、この操作片５の下端面５ｆを押圧ヘッド３の上端部位である突出部３ｐに当接させて当該押圧ヘッド３を直接押圧するものとすれば、操作レバー５を一部材として構成することが可能であり、部品点数の削減と効率的な組立を可能にしつつ、各エアゾール容器からの均等な排出が実現できる。
【００４３】
一方、図１０〜１２は、本発明の第２の形態である、二剤混合用注出器をエアゾール容器に装着したものである。以下、本形態において、第１の形態と同一部分は、同一符号をもって、その説明を省略する。
【００４４】
本形態は、係止手段Ｃ2の一方を構成する突起として、操作片５ｂの下端面５ｆに設けた突起５ｐを用いる一方、板ばね部３ｓの上端面３ｆに、操作片５ｂに設けた突起５ｐと接触して、この操作片５ｂの押し下げを規制する突起３ｐを設けている。
【００４５】
係止手段Ｃ2でも、操作片の突起５ｐが、更なる操作片５ｂの押し下げによって、他方の突起３ｐを乗り越えることで、引っ掛かりが解除できるように設定してある。これにより、操作片５ｂの突起５ｐが、操作片５ｂの更なる押し込みによって、板ばね部３ｓの突起３ｐを乗り越えると、使用者は操作片５ｂを急激に押し下げることなる。
【００４６】
これにより、操作片５ｂを図１０に示す初期位置からゆっくり押しても、図１１に示すように、係止手段Ｃ2によって一旦引っ掛かるため、更に使用者が押し下げることで、その引っ掛かりを解除すると、操作片５ｂは、図１２に示す押し切り位置まで、勢い良く一気に押し下げられる。従って、使用者が操作片５ｂをゆっくり押しても、係止手段Ｃ2を解除すべく、更に操作片５ｂを押し込む結果、押圧ヘッド３に設けた凸部６が実際に操作片の凸部７に押されてから、その押し下げを完了するまでの所要時間は短時間ですむ。
【００４７】
なお、操作片５ｂの突起５ｐが突起３ｐを乗り越えるための設定も、例えば、混合注出器の用途や使用対象者等に応じて、突起３ｐ及び突起５ｐの形状等を適宜変更することでも可能である。
【００４８】
本形態の如く、係止手段Ｃ2を、操作片５ｂの下端面５ｆに設けた突起５ｐと、板ばね部３ｓの上端面３ｆに設けた突起３ｐとすれば、操作片５ｂが急激に押し下がるタイミングとほぼ同時に、各エアゾール容器１，２からの均等な排出が実現できる。
【００４９】
本発明に従う混合注出器は、各エアゾール容器１，２から均等に内容物を排出して混合できるという優れた効果を奏する。また、当該注出器を構成する部材は、押圧ヘッド３、ベースカバー４及び操作レバー５の三部材で構成することが可能であり、しかも、各部材は、一体物で形成することができるので、部品点数を極力少なくできるうえ、構造の複雑化を伴うことがないという利点を有する。
【００５０】
なお、本形態では、板ばね部３ｓを押圧ヘッド３と一体に構成しているが、本発明に従えば、板ばね部３を別部材としてより弾性反転しやすい材質を使用することができる。また、板ばね部３ｓは、二材形成（インサート成形）等で成形することもできる。また、板ばね部３ｓの突起３ｐに替えて、板ばね部３ｓをその先端に向かって厚肉することで構成される部位とすることができる。
【００５１】
上述したところは、本発明の一形態を示したに過ぎず、特許請求の範囲内において、種々の変更を加えることができる。例えば、上述の各形態は、二剤混合用の注出器について説明したが、三剤、四剤を混合する場合においても適用できるものであり、二剤混合用の注出器に限定されるものではない。更に、上述の各形態に採用された各構成はそれぞれ、互いに適宜組み合わせることができる。
【産業上の利用可能性】
【００５２】
本発明の混合注出器は、類の異なる内容物を使用直前に混合して注出するために用いられるものであれば、毛染め剤等の薬剤のみならず、医療分野やお茶等の飲料分野にも適用できる。
【符号の説明】
【００５３】
１    エアゾール容器
１ａ  ステム
１ｃ  マウンティングカップ
２    エアゾール容器
２ａ  ステム
２ｃ  マウンティングカップ
３    押圧ヘッド
３ａ  基体
３ａ1 底板
３ａ2 周壁
３ａ3 フランジ
３ａ4 筒体
３ａ5 筒体
３ｂ  カバー体
３ｂ1 周壁
３ｂ2 天面壁
３ｃ  ヒンジ
３ｄ  ノズル
３ｐ  突起（係止手段Ｃ2）
３ｓ  板ばね部
３ｓ1 湾曲部分
３ｓ2 支持部分
３ｈ  ヒンジ
４    ベースカバー
４ａ  ホルダー
４ｂ  外カバー
４ｂ1 周壁
４ｂ2 天面壁
４ｂ3 内側壁
４ｂ4 底壁
４ｂ5 凹部側壁
４ｐ  突起（係止手段Ｃ1）
４ｓ  薄肉部
５    操作レバー
５ａ  ガイド壁部
５ｂ  操作片
５ｆ  操作片下端面
５ｐ  突起（係止手段Ｃ1，Ｃ2）
６    押圧ヘッド側凸部
７    操作レバー側凸部
８    ミキシング部材
８ａ  部材本体
８ｂ  フィン
Ｐ1   前側凹部
Ｐ2   後側凹部
ｒ1,ｒ2 排出経路
ｔ    凹部
【図１】
0005496627.tif 000002
【図２】
0005496627.tif 000003
【図３】
0005496627.tif 000004
【図４】
0005496627.tif 000005
【図５】
0005496627.tif 000006
【図６】
0005496627.tif 000007
【図７】
0005496627.tif 000008
【図８】
0005496627.tif 000009
【図９】
0005496627.tif 000010
【図１０】
0005496627.tif 000011
【図１１】
0005496627.tif 000012
【図１２】
0005496627.tif 000013